(57)【特許請求の範囲】
【請求項１】
医務室内の医療機器のための無線管理システムであって、
医務室内に位置する可搬式医療機器を含む複数の管理可能な医療機器であって、前記医療機器のそれぞれはその中に記憶された機器識別子を含み、そして前記可搬式医療機器はそれぞれ当該医療室を識別するためのルーム識別子を含み；
医療室内に置かれる無線管理装置であって、前記無線管理装置はその中に記憶された機器識別子と、医務室を識別するためのルーム識別子を含み；及び
当該無線管理装置にコントロール指令を供給するための通信インターフェース、とからなる無線管理システムにおいて、
更に当該医療室を入退室する前記可搬式医療機器を監視するために出入り口近傍に配置されるルームモニターを含み、前記ルームモニターはその中に記憶された該ルーム識別子を有し、
前記無線管理システムは当該医療室を入退室する前記可搬式医療機器を含めて医療室内に位置する前記医療機器を自動的に検出し、
前記無線管理装置は、前記通信インターフェースからのコントロール指令に応じて、該医務室内に位置する前記医療機器の１つによって認識される無線コントロール指令を送信し、当該１個の前記医療機器を機能させ、
当該医療室内に置かれる前記無線管理装置は前記医療機器にルーム識別子を送信し前記管理可能な医療機器のどれが当該医療室内に位置しているかを自動的に判断し、前記無線管理装置は可搬式無線管理装置からなり、そして、
前記ルームモニターは電源が入れられたまたは電源が切られた前記可搬式医療機器または電源が入れられたまたは電源が切られた前記可搬式無線管理装置が当該医療室へ入室するのを感知し、当該入室する可搬式医療機器または可搬式無線管理装置に当該ルーム識別子を無線によって付与することを特徴とする、無線管理システム。
【請求項２】
前記無線管理装置は前記通信インターフェースに前記識別された医療機器を提供し表示させることを特徴とする、請求項１に記載の無線管理システム。
【請求項３】
出入り口近傍に配置されるルームモニターはその中に記憶されたダミー識別子を有する、請求項１に記載の無線管理システムであって、
前記可搬式医療機器のそれぞれはルーム識別子記憶装置を含み；
前記可搬式無線管理装置は複数の可搬式無線管理装置のうちの１つからなり、前記可搬式無線管理装置は前記ルーム識別子を記憶するためのルーム識別子記憶装置を含み、
前記ルームモニターは電源が入れられたまたは電源を切られた前記可搬式医療機器または電源が入れられたまたは電源を切られた前記可搬式無線管理装置が当該医療室から退室するのを感知し、前記電源が入れられたまたは電源を切られた退室する可搬式医療機器または電源が入れられたまたは電源を切られた無線管理装置に該ダミー識別子を無線によって送信し意図しない作動を防止することを特徴とする、請求項１に記載の無線管理システム。
【請求項４】
前記医療機器の機器識別子は、前記無線管理装置が正しい医療機器を自動的に識別できるように固有の機器識別子からなり、
該固有の機器識別子は当該医療室内にある同じタイプの２個の前記医療機器の管理を可能にすることを特徴とする、請求項１に記載の無線管理システム。
【請求項５】
当該医療室に位置する医療機器のそれぞれに記憶された機器識別子を感知し、当該医療室内に位置する前記医療機器の前記無線管理装置に通知するために当該医療室内に備えられる少なくとも２個のトランシーバー位置測定装置を含むことを特徴とする、請求項１に記載の無線管理システム。
【請求項６】
前記トランシーバー位置測定装置は、飛行時間型信号によって医療室内の前記医療機器の存在を判断する飛行時間型装置からなることを特徴とする、請求項５に記載の無線管理システム。
【請求項７】
前記通信インターフェースはタブレットからなり、前記タブレットはタブレット識別子を含み、前記無線管理装置はタブレット識別子を含み、前記タブレットは前記無線管理装置にタブレット識別子を含む無線コントロール指令を付与し、タブレット識別子を含む情報を前記無線管理装置から受け取ることを特徴とする、請求項１に記載の無線管理システム。
【請求項８】
前記医療機器は少なくとも手術室照明灯、手術室カメラ、ポールポンプシステム、関節鏡ポンプシステム及び廃棄物管理システムのうちの１つからなることを特徴とする、請求項１に記載の無線管理システム。
【請求項９】
前記通信インターフェースは、タッチスクリーンを有する少なくとも１個の無線タブレットからなり、タブレットは前記無線管理装置に接続される管理コード及び音声認識装置を有することを特徴とする、請求項１に記載の無線管理システム。
【発明の詳細な説明】
【技術分野】
【０００１】
本発明は、医療室または他の医療区域にある機器類の存在を自動的に判断し、ワイヤー接続を行なわずにかつ当該医療室内にどの機器類が存在するか人手によって判断する必要のない機器類の集中管理を提供する無線管理装置または管理ユニットを含むシステムに関する。
（関連出願の相互参照）
本願は２００８年５月２７日に出願された米国仮特許出願第６１／１２９０００の全体に言及することによりその利益を主張するものである。
【背景技術】
【０００２】
ある医療区域、例えば外科手術室内にある医療機器を管理するための有線接続の集中リモート管理ユニットは、電気管理信号コードを使う必要があるので各医療機器に有線接続を行なわなければならないという物理的制約がある。また、コードによって医療機器のリモート管理ユニットからの稼動距離が制約される。電気コードをなくすことによって、医療区域における動作性を向上することができる。更に医療従事者は、医療機器と集中管理ユニットとの間のコード類の接続を行うために相当の時間を使う。
【０００３】
また、外科室の壁または天井に取り付けたカメラや室内灯等のある種の医療機器を集中管理装置と有線接続を行うことは極めて実用的でない。
【発明の開示】
【発明が解決しようとする課題】
【０００４】
既存の手術室管理システムにおいては、マスター管理装置を備え、複数の通信ポートを介してスレーブ管理装置及び／または医療機器に電気的に接続されている。別の例では、マスター管理装置は、赤外線または無線周波数等の信号送受信装置の無線通信システムを介してマスター管理装置、スレーブ管理装置及び医療機器上のスレーブ管理装置または医療機器と接続される場合もある。かかる手術室管理システムにおいては、望みの作業スペースから離れたところにある医療機器を作動させることが可能である。マスター管理装置が、希望する作業スペースの外側から他の外科機器と通信できる無線管理信号を出すことができれば、このような環境が実現可能である。例えば、マスター管理装置が当該室または手術室に近接する外側の廊下に置かれた場合でも、マスター管理装置は、近接する別の手術室内にある医療機器を作動させることができる。
【０００５】
従って、本発明は、無線管理装置が希望する医療室内にある複数の機器類のみを操作できる配置を対象とする。
【課題を解決するための手段】
【０００６】
本発明は、医務室内の医療機器のための無線管理システムであって、
医務室内に位置する可搬式医療機器を含む複数の管理可能な医療機器であって、前記医療機器のそれぞれはその中に記憶された機器識別子を含み、そして前記可搬式医療機器はそれぞれ当該医療室を識別するためのルーム識別子を含み；
医療室内に置かれる無線管理装置であって、前記無線管理装置はその中に記憶された機器識別子と、医務室を識別するためのルーム識別子を含み；及び
当該無線管理装置にコントロール指令を供給するための通信インターフェース、とからなる無線管理システムにおいて、
更に当該医療室を入退室する前記可搬式医療機器を監視するために出入り口近傍に配置されるルームモニターを含み、前記ルームモニターはその中に記憶された該ルーム識別子を有し、
前記無線管理システムは当該医療室を入退室する前記可搬式医療機器を含めて医療室内に位置する前記医療機器を自動的に検出し、
前記無線管理装置は、前記通信インターフェースからのコントロール指令に応じて、該医務室内に位置する前記医療機器の１つによって認識される無線コントロール指令を送信し、当該１個の前記医療機器を機能させ、
当該医療室内に置かれる前記無線管理装置は前記医療機器にルーム識別子を送信し前記管理可能な医療機器のどれが当該医療室内に位置しているかを自動的に判断し、前記無線管理装置は可搬式無線管理装置からなり、そして、
前記ルームモニターは電源が入れられたまたは電源が切られた前記可搬式医療機器または電源が入れられたまたは電源が切られた前記可搬式無線管理装置が当該医療室へ入室するのを感知し、当該入室する可搬式医療機器または可搬式無線管理装置に当該ルーム識別子を無線によって付与することを特徴とする。
【発明の効果】
【０００７】
本発明は、医療室または他の医療区域にある機器類の存在を自動的に判断し、ワイヤー接続を行なわずにかつ当該医療室内にどの機器類が存在するか人手によって判断する必要のない機器類の集中管理を提供することができる。
【図面の簡単な説明】
【０００８】
【図１】図１は手術室内に位置する管理可能な固定医療機器及び管理可能な可搬式医療機器に出力信号を供給する無線集中管理装置を含む手術室の斜視図である。（実施例）
【図２】図２は本発明の第１の実施例に係る無線集中管理装置を支持するカートを含む、医療室内で使用するためのシステムのブロック図である。（実施例）
【図３】図３は手術室のドア近傍に位置するルームモニターの登録ゾーンを通過する可搬式集中管理装置及び可搬式医療機器の通過域を示すブロック図である。（実施例）
【図４】図４は手術室内にある管理可能な医療機器の存在を判断するトランシーバー位置識別装置を有する手術室の斜視図である。（実施例）
【図５】図５は本発明の他の実施例に係るグローバルネットワークシステムの医療施設または建屋の外科手術室内における配置を示す模式ブロック図である。（実施例）
【図６】図６は本発明の他の実施例に係るグローバルネットワーク処理システムに出力を付与するグローバルネットワークシステムを示す医療施設の部分図である。（実施例）
【発明を実施するための形態】
【０００９】
本発明のいくつかの実施例は例示として示すものであって、付属の図面に示す特定の実施例に限定されるものと理解すべきではない。図面において同じ参照番号は同じ要素を示す。
【００１０】
本発明に係る複数の医療機器等の意図せぬ作動を防止するためのシステムは、医療機器毎の機器識別子を検出する無線管理装置を備える。この医療機器は可搬式でもよく、医療室内に固定的に据え付けられてもよい。更に、無線管理装置は可搬式でもよく、医療室内に固定的に据え付けられてもよい。医療室に入る医療機器及び無線管理装置にルーム識別子を送信するルームモニターを設置することもできる。作動中、無線管理装置は、医療室内のそれぞれの医療機器を特定するためにルーム識別子及び機器識別子を用いる。
【００１１】
１実施例において、グローバルネットワークシステムは、複数のルームモニターからデータを受け取り、何れの機器類及び管理装置が各手術室内に位置しているかを判断する。情報は１室内の様々な医療機器のタイプと所在を表示するために使うことができる。
【００１２】
他の実施例では、ユーザが離れた集中位置から医療施設内の病室、手術室、所蔵室及びナースステーション等の複数の医療室に位置する医療機器の正確な数とタイプを自動的に表示することができる。
【００１３】
１実施例において、第２の無線管理装置が、第１の無線管理装置による医療機器管理を妨害するのを防止する。
【００１４】
他の実施例は、可搬式医療機器及び医療室内の壁カメラ及び天井取り付け照明器具等の固定医療機器を、有線管理接続を必要とせずに無線集中管理を可能にする。
【００１５】
他の実施例は、各トランシーバー位置測定装置からのそれぞれの医療機器の距離によってそれぞれの存在を判断する飛行時間型配置用の２個以上のトランシーバー位置測定装置を室内に備えることによって、医療室の複数の医療機器の無線管理を可能にする。したがって、ルーム識別子を必要としない。複数のトランシーバー位置測定装置を有する実施例では、手術室における医療機器の正確な位置を判断し表示することができる。
【実施例】
【００１６】
図１は、本発明の１実施例に係る手術室１０等の医療区域または治療室の斜視図である。手術室１０は、天井、部屋の壁１５または他の固定構造物に取り付けられた手術室内照明器具１２及びカメラ１４を備える。手術室１０は、更に手術台１６、関節鏡ポンプシステム１８を支持する移動式カート１７及び可搬式廃棄物管理システム２０を備える。更に、図１に示すように、移動式カート２２は、手術室１０内のさまざまな医療機器１２、１４、１６、１８、２０を管理するための無線集中管理装置３０とともに移動式タッチスクリーン無線タブレット２４等の通信インターフェースを搬送する。
【００１７】
実施例によっては、無線管理装置３０は室内に設置し、したがってカート２２を不要とすることもできる。
【００１８】
図１は更に、ドアまたは入り口３４近傍に置かれるルームモニター３２を示す。このルームモニター３２のみが、手術室１０に出入りする医療機器１６、１８、２０、２４及び管理装置３０と通信を行う。
【００１９】
図２の実施例は、手術室内の各固定医療機器１２、１４、１６及び手術室に固定的に備えられる固定医療機器３６を示す。医療機器３６は、手術室１０内に備えることができる固定医療機器１２、１４、１６を含む全てのタイプの既知の固定医療機器を代表するものとする。いずれの固定医療機器３６も、マイクロコントローラユニット（ＭＣＵ）４２を内包する無線アダプターモジュール（ＷＡＭ）４０を有する。
【００２０】
図２は、可搬式ポールポンプシステム４８及び可搬式医療機器５０とともに図１に示すカート１７上に備えられた関節鏡ポンプシステム１８を示す。可搬式医療機器５０は、可搬式機器１８、２０、４８を含む手術室に備えることができる全てのタイプの可搬式医療機器を代表すものとする。いずれの可搬式医療機器５０も、無線アダプターモジュール（ＷＡＭ）４０を備える。無線アダプターモジュール（ＷＡＭ）４０は、マイクロコントローラユニット（ＭＣＵ）４２及びルーム識別子記憶装置（ＲＩＳＤ）４６の両方を備える。
【００２１】
図２において、無線集中管理装置３０は、破線で示される可搬式無線集中管理装置である。無線管理装置３０は、無線ルータ５４に接続されたコントローラユニット５２を有する。無線管理装置３０は可搬式なので、ルーム識別子記憶装置（ＲＩＳＤ）４６が内蔵されている。コントローラユニット５２及び／または無線ルータ５４は、無線タブレット２４に記憶された固有のタブレット／コントローラ識別子に対応する固有のタブレット／コントローラ識別子を記憶する。更に無線ルータ５４は、コントローラユニット５２から医療室１０内にある可搬式医療機器５０のルーム識別子記憶装置４６に記憶されたルーム識別子と対応するルーム識別子を受け取る。また１実施例においては、同ルーム識別子は手術室１０に固定的に設置される医療機器３６の無線アダプターモジュール４０のマイクロコントローラユニット４２内に永久的に記憶される。
【００２２】
頭上照明具１２、頭上カメラ１４及び手術台１６等の固定的に据え付けられた医療機器３６は、それぞれのマイクロコントローラユニット４２内に記憶されたルーム識別子を持つので、ルーム識別子記憶装置（ＲＩＳＤ）４６を必要としないが備えてもよい。
【００２３】
実施例によっては、搬送カート２２は追加の被管理機器５６をその上に載せて、従来のインターフェイスケーブル５８によってコントローラユニット５２と接続することもできる。
【００２４】
図３は、室と廊下６４を結ぶ出入り口６２近傍に手術室１０における登録ゾーン６０を有するルームモニター３２の実施例を示すブロック図である。図３において、当該医療施設の廊下６４は、ルームモニター３２の左側を向いている。
【００２５】
また、図３は無線集中管理装置３０付き搬送カート２２とルームモニター３２の登録ゾーン６０内に位置している可搬式医療機器５０の両方を示している。カート２２及び医療機器５０は手術室１０に入室または退室しようとしている。
動作
【００２６】
１実施例において、ルームモニター３２と少なくとも１個の可搬式医療機器５０及び／またはカート２２上の無線集中管理装置３０が開放された出入り口６２を通って手術室１０に入る。ルームモニター３２は、可搬式医療機器５０及び管理装置３０の入室を感知するこの時、ルームモニター３２は、登録ゾーン６０を通過し、手術室１０に入る可搬式医療機器５０のルーム識別子記憶装置４６及び可搬式無線管理装置３０に記憶すべきルーム識別子を送信する。かくして可搬式管理装置３０が手術室１０に入ると、当該室内の管理装置３０と固定式または可搬式の手術室の機器３６、５０は同一のルーム識別子を記憶し保持する。以下、この配置について更に詳しく説明する。
【００２７】
機器３６、５０それぞれが稼動するように無線管理装置３０に電力が供給されると、コントローラユニット５２はルーム識別子記憶装置４６に記憶されたルーム識別子を読み取り、そのルーム識別子を無線ルータ５４に供給する。
【００２８】
無線管理装置３０は、ルーム識別子と無線ルータ５４を使って固定式及び可搬式の管理可能な医療機器３６、５０のどれが手術室１０に位置しているか判断する。個々の装置３６、５０に対応する機器識別子とともにルーム識別子を送り、応答を待つ無線ルータ５４から判断が出される。すると医療機器３６、５０は、集中管理装置３０が手術室１０内にある医療機器のタイプを認識できるように、ルーム識別子と機器識別子を含む無線信号を返す。このポーリング動作は、起動に当たり操作員による指示がなくても、無線ルータ５４がルーム識別子と異なる機器識別子を持つ連続信号送信し、手術室１０内にある異なる装置応答を検出すると自動的に起動する。手術室１０内の医療機器３６、５０は定期的に自動的に更新される。
【００２９】
動作時は、１実施例において、ユーザが無線タブレット２４のタッチスクリーンにタッチすると、情報とコントロール指令とともにタブレット／コントローラ識別子と機器識別子が無線ルータ５４に送信される。無線ルータ５４は、タブレット２４から送信されたタブレット／コントローラ識別子を読み取る。タブレット／コントローラ識別子を比較することにより、当該無線管理装置３０と関わりのない異なるタブレットからの指令が転送または通信されることを防ぐ。無線ルータ５４は、コントローラユニット５２にコントロール指令と識別子を転送する。すると、コントローラユニット５２は、指令が正しいものであるかどうかを判断し、またコントロール指令の内容を判断する。次に、コントロール指令はルーム識別子及び機器識別子とともに、コントローラユニット５２から無線ルータ５４に送信される。無線ルータ５４はコントロールすべき医療機器３６、５０へ識別子と指令を含む無線信号を送信する。適切な無線アダプターモジュール４０がルーム識別子と接続される医療機器の機器識別子を照合し、指令が実行される。このように、タブレット２４からの指令は、コントローラユニット５２に無線で転送され、更に選択された医療機器３６、５０に無線で転送される。
【００３０】
また、選択された被管理医療機器３６、５０は、無線集中管理装置３０に機器データまたは情報を返すこともできる。無線アダプターモジュール４０のマイクロコントローラユニット（ＭＣＵ）４２に記憶された機器識別子は、無線ルータ５４に受信される応答指令または情報とともに無線で送信され、コントローラユニット５２に転送される。コントローラユニット５２は指令または情報を処理し、タッチスクリーン上に医療機器情報を表示するための固有のタブレット／コントローラ識別子を含む関連情報を無線ルータ５４を介してタブレット２４に送信する。
【００３１】
実施例によっては、コントローラユニット５２も、従来の有線インターフェイスケーブル５８を介して、カート２２に搭載された被管理機器５６を管理する。本配置においては、集中管理装置３０は、管理医療機器５６を動作させるための無線接続もルーム識別子も不要である。したがって、被管理医療機器５６は、無線アダプターモジュール４０を必要としない。
【００３２】
手術室の入退室
【００３３】
搬送カート２２上の無線管理装置３０が手術室１０から退室するときは、ルームモニター３２が管理装置の退室を検出する。検出に応じて、ルームモニター３２はダミー識別子を送信し、ルーム識別子記憶装置（ＲＩＳＤ）４６に記憶された識別子を上書きする。このように手術室１０から退室し廊下６４に入る時は、無線集中管理装置３０は医療施設内のいずれの近隣手術室１０のいずれの医療機器３６、５０をも無線管理することを禁止される。同様に、手術室１０を退室する可搬式医療機器５０の何れも、隣接位置にある無線管理装置３０からの管理信号に反応して当該医療機器が動作することを防止するダミー識別子が付与される。
【００３４】
登録ゾーン６０を通って手術室１０に入室または退室する可搬式医療機器５０に関しては、例え医療機器５０に電源が入っていなくても、それぞれのルーム識別子またはダミー識別子がルーム識別子記憶装置（ＲＩＳＤ）４６内に記憶される。例えば、電源の入っていない可搬式医療機器５０が手術室１０に入り、後に電源が入れられても、当該ルーム識別子は無線アダプターモジュール４０のＭＣＵ４２によって読み取られる。
【００３５】
同様に、無線管理装置３０が電源を切って、登録ゾーン６０を通って手術室１０内に移動する場合、ルーム識別子がルーム識別子記憶装置４６内に記憶される。無線集中管理装置３０に後に電源が入れられると、コントローラユニット５２はルーム識別子記憶装置４６からルーム識別子を受け取り、無線ルータ５４に当該ルーム識別子を送り、室内の電源が入れられ正しいルーム識別子を持つ全ての医療機器３６、５０と通信を開始し自動的にポーリングを行う。
【００３６】
他の実施例においては、カート２２上の電源を切られた無線管理装置３０が登録ゾーン６０を通って出入り口６２から退室するときは、カート２２に搭載されたルーム識別子記憶装置（ＲＩＳＤ）４６がルームモニター３２からダミー識別子を受け取る。後に、無線管理装置３０に電源が入れられると、コントローラユニット５２によりダミー識別子が設定され、無線ルータ５４に送られ、ルータ及び、従って無線管理装置３０がいかなる医療機器とも通信することを防止する。このように、手術室１０の外側では、無線集中管理装置３０は、インターフェイスケーブル５８を通じて直接有線接続された医療機器５６の管理のみが可能となる。
【００３７】
他の実施例においては、第１と第２の無線集中管理装置３０が同じ手術室１０内に置かれる場合がある。例えば、ある場合には、第１無線集中管理装置３０がある手術室１０に置かれ、その室内の医療機器３６、５０が同装置３０と無線によって接続され、ユーザの操作に備えている。電源を切られた第２の無線集中管理装置３０がルームモニター３２の登録ゾーン６０を通って当該室内に入る。この実施例においては、ルームモニター３２はメモリを備え、当該室内で管理可能な可搬式医療機器５０のタイプを記憶し、無線管理装置３０が手術室１０にすでに置かれているかどうかを記憶する。ルームモニター３２は第１の無線管理装置３０がすでに当該手術室１０内に存在していることを認識しているので、ルームモニター３２は、当該室内に入る第２の無線集中管理装置３０のルーム識別子記憶装置（ＲＩＳＤ）４６に管理不能化識別子を書き込む。
【００３８】
手術室１０内の第２の無線管理装置３０が電源供給源にプラグ挿入され電源が入れられると、第２の無線管理装置３０の無線管理装置５２はルーム識別子記憶装置（ＲＩＳＤ）４６から不能化識別子を受け取る。第２の無線管理装置３０は不能化識別子を設定され管理可能な医療機器３６、５０との通信を防止される。無線管理装置５２は、第２の無線管理装置３０の不能化識別子を読み取り、自身の無線ルータ５４を通じてタブレット２４にエラーメッセージを与え、タブレット２４は複数の無線管理装置３０が当該医療室１０内にあって、第２の無線集中管理装置が使用不能であることを表示する。
【００３９】
続いて第２の無線管理装置３０が当該手術室１０から移動されると、ルームモニター３２は不能化識別子を取り除き、別のダミー識別子を当該装置に付与する。このように、第２の無線管理装置は、他の何れの手術室１０に入っても再度使用できるように備える。
【００４０】
第２の不能化された無線管理装置３０が当該手術室１０を入退室する間、第１の無線集中管理装置３０が通常の方法で機能する。
【００４１】
他の実施例においては、第２の無線集中管理装置３０が、第１の無線管理装置３０がある手術室１０に入り、上記のような不能化識別子を受け取る。第１の無線管理装置３０は当該手術室１０から取り除かれる。第１の無線管理装置３０は登録を解除され、ルームモニター３２からダミー識別子を受け取る。すると、第１の無線管理装置３０は、望みどおり廊下６４から医療機器３６、５０を管理することはできない。しかし、手術室１０に残っている第２の無線集中管理装置３０は、使用不能状態にあり、上記のように使用不能である。この使用不能状態を解除するには、ユーザによって第２の無線集中管理装置３０を手術室１０から退室し、第２の管理装置３０を再度当該手術室に戻されることによって、第２の管理装置３０は、ルーム識別子を取得して正常に機能し、手術室内に位置する固定医療機器３６とともに可搬式機器５０を無線によって管理する。
【００４２】
他の実施例では、不能化識別子は、第２の管理装置３０によって認識されないフォームのルーム識別子を含む。不能化識別子はダミー識別子とは異なるので、第２の管理装置３０は、それが手術室１０に存在することを認識する。この場合、ユーザは、タッチスクリーンタブレット２４等のインターフェースを通じて第２の無線集中管理装置３０を作動し、第２の無線管理装置３０が不能化識別子内に記憶されたルーム識別子を取得することができるようにする選択肢がある。すると、第２の無線管理装置３０は手術室１０内の医療機器３６、５０を管理する動作ができるようになる。
【００４３】
他の実施例では、２個以上の無線集中管理装置３０がほぼ同時に手術室に入る。例えば、２個の無線集中管理装置３０が同じ搬送カート２２に置かれる。ルームモニター３２に検出された第１の無線管理装置３０がルーム識別子を付与され、通常の方法で医療機器３６、５０を無線によって管理する動作を行う。しかし、検出された第２の無線集中管理装置３０は、不能化識別子を付与される。このとき、管理装置３０は上記の方法で動作を行う。
【００４４】
他の実施例では、２個の監視カメラ等の同じタイプの複数の医療機器３６、５０が同じ手術室１０内に置かれる。１実施例では、同じ機器識別子を持つ同じタイプの複数の医療機器が存在することを検出されることは許されず、無線集中制御装置３０によってタブレット２４に重複機器警告メーセージが出される。複数の医療機器３６、５０のうち、無線によって無線ルータ５４を介して無線制御装置３０のコントローラユニット５２と最初に接続する１個が無線集中制御装置３０による制御が可能となる。しかし、他の重複する医療機器は無視され、無線によって作動できない。
【００４５】
実施例によっては、第２の不能化された医療機器３６、５０が接続され、次に起動された同じ医療機器が接続を解除される。次に第２の医療機器３６、５０が起動され、無線制御装置３０による使用と制御ができる。
【００４６】
手術室１０内に、例えば異なる２個の室内照明器具１２が備えられる実施例においては、室内照明器具はそれぞれ異なる特定の機器識別子を持つ。このように室内照明器具１２は、無線制御装置３０から送られる指令によって別々にまたは組み合わせて動作することができる。
【００４７】
実施例によっては、無線ルータ５４は異なるタブレットに対応する２個の異なるタブレット／コントローラ識別子が付与され、１個の無線制御装置３０を通じて２個のタブレットが機器を制御できるようになる。
【００４８】
種々の実施例において、ルームモニター３２は、無線自動識別装置（ＲＦＩＤ）装置であるルーム識別子記憶装置（ＲＩＳＤ）４６との通信を行うための検出及び通信システムの役割を担う。他の実施例では、異なるタイプの既存の通信またはメモリ記憶装置４６を利用してもよい。例えば、赤外線及び超音波信号を無線周波数の信号の代わりに用い、ルーム識別子またはデータ信号を手術室１０に入退室するルーム識別子記憶装置４６に付与することもできる。
【００４９】
他の実施例では、ルームモニター３２の登録ゾーン６０は、出入り口６４を横断して延びる一組の近接ゾーンから構成される。出入り口６２の第１のゾーンはダミー識別子を付与する。手術室１０内にあって第１のゾーンに近接する第２のゾーンが当該手術室に入る医療機器５０にルーム識別子を付与する。この実施例においては、ルームモニター３０は登録ゾーン６０内にある医療機器５０からのいかなる識別データをも読み取らない。登録ゾーン６０を通って手術室１０に入退室する可搬式無線制御装置３０は、同様の方法で識別子を付与される。
【００５０】
無線アダプターモジュール４０はそれぞれ固定の医療機器３６に接続された別々の外部装置として説明した。図２では、無線アダプターモジュール４０は、各医療機器５０の筐体の中に位置して示されている。いずれの配置も、医療機器３６、５０のいずれにおいても許容される。
【００５１】
上記説明では、主にカート１７または可動式スタンド上に搭載されたポンプシステム１８及びポールポンプ４８等の他の医療機器との組み合わせで搬送カート２２上に置かれた可搬式無線集中制御装置３０の実施例に向けられたが、同じ動作が機器類３６、５０で代表される無線アダプターモジュール４０が備えられたその他のタイプの医療ないし外科用機器にも可能である。かかる外科機器には、医療または外科治療用で用いられるカミソリ、内視鏡カメラ、切開器具、ドリル及びその他の電動器具などが含まれる。
【００５２】
上記実施例では、通信インターフェースとして無線タッチスクリーンタブレット２４の使用について開示したが、他の実施例においては、通信インターフェースはケーブルによって無線制御装置３０と接続されてもよい。かかる場合は、タブレット識別子は不要である。
【００５３】
実施例によっては、通信インターフェースは情報を表示するためのビデオスクリーンと制御装置３０に接続された個別のコントロールキーボードである。他の実施例では、音声インターフェースから、音声認識装置によって翻訳される音声指令を提供し、無線集中制御装置３０を通じて手術室１０内で医療機器３６、５０の制御をするために利用される。
【００５４】
上記実施例では、一般にルーム識別子及び機器識別子の使用が含まれるが、更に手術室１０内にある特定の医療機器３６、５０を表す固有の識別子を備えてもよい。例えば、機器識別子に加えて、特定の製造者モデル登録コードを備え、ルームモニター３２が医療機器のタイプのみならず正確な医療機器を識別することもできる。これにより、以下に説明するように、使用歴または機器の所在に関するデータを記憶することができる。更に、同じタイプの複数の医療機器３６、５０を手術室１０内で別々に識別し管理することができる。
【００５５】
上記実施例は、可搬式または移動装置として無線集中管理装置３０を含むが、実施例によっては、無線集中管理装置３０は手術室１０内に固定された永久構造でもよく、手術室内に置くようにしても良い。これらの実施例では、無線集中管理装置３０はルーム識別子記憶装置（ＲＩＳＤ）４６を必要とせず、コントローラユニット５２及び／または無線ルータ５４に記憶されたルーム識別子を持つ。記憶された識別子は、手術室１０用のルームモニター３２に付与されたルーム識別子に対応する。その他、固定無線管理装置３０は上記のカート搭載型または可搬式無線集中管理装置３０と同じ方法で動作する。
【００５６】
飛行時間型配置
【００５７】
図４は、ほとんどの実施例において手術室１０内に固定的に設置される無線集中管理装置３０のための「飛行時間型」配置を示す。図４において、図１から３に示す配置と同じ参照番号を持つ要素は、同じ要素または装置を表す。
【００５８】
図４の実施例と上記実施例との主要な相違点は、手術室１０のドア３４近傍に位置するルームモニター３２がないことである。その代わりに、集中管理装置３０は、手術室１０内に置かれる２個以上のトランシーバー位置測定装置６６、更に例えば少なくとも５個のトランシーバー位置測定装置に依存し、手術室にある固定医療機器３６及び可搬式医療機器５０の存在を判断する。
【００５９】
複数の図４に示すトランシーバー位置測定装置６６を有する飛行時間型実施例においては、例えば、特定の装置へ特定の信号を送る時間と固有の機器識別子を含むリターン信号の返り時間を測定することによって、各位置測定装置６６から各医療機器３６、５０までのそれぞれの距離を提供する。１実施例では、この情報は無線によって無線管理装置３０に送られる。無線管理装置３０は、複数のトランシーバー位置測定装置６６からの各装置の距離値をコンパイルして、手術室１０内にある各固定または可搬式医療機器３６、５０の正確な位置を判断する。実施例によっては、各位置は表示スクリーンまたはタブレット２４上に表示されるルームマップに表示される。集中管理装置３０は上記の如く、手術室１０内に位置する確認された医療機器３６、５０を無線によって管理する。
【００６０】
図４の実施例では、医療室１０内にある医療機器３６、５０の存在特定することができる２個のトランシーバー位置測定装置６６を示すが、他の実施例においては、固定式のトランシーバー位置測定装置６６が床と天井に沿って各壁に取り付けられる。この実施例においては、６個のトランシーバー位置測定装置６６が各医療機器３６、５０及び管理装置３０からのそれぞれの距離を測定する。６個の各トランシーバー位置測定装置６６から医療機器３６、５０のそれぞれ測定された距離は相互の関係を比較され、医療機器のそれぞれが手術室１０内に存在し使用できるかどうか判断される。更に、機器類３６、５０及び管理装置３０の正確な位置は、集中飛行時間型マイクロコンピュータ等によって判断される。これらの位置は、モニター、ディスプレイ画面またはタブレット上に提供されるルームマップに表示するために無線管理装置３０に提供される。このマップにより、ユーザは手術室内にある機器類３６、５０の所在を容易に知ることができる。
【００６１】
他の実施例においては、飛行時間型位置判定システムは、米国特許ＮＯ．５６６１４９０に開示するシステムに係る手術室１０内の機器類の存在を検出するために動作する。当該開示は、参照することによりその全体を本願に組み込まれる。
【００６２】
上記飛行時間型配置の１実施例において、可搬式機器３６はルーム識別子を記憶するためのルーム識別子記憶装置（ＲＩＳＤ）４６を必要としない。その代わりに、各可搬式または固定医療機器３６、５０だけがトランシーバー位置測定装置６６からの送信を受け取り、固有の機器識別子とともに信号を返す。
【００６３】
更に、上記飛行時間型の実施例は、ルームモニター３２、まして手術室１０内に位置する可搬式管理装置３０及び可搬式医療機器５０を記憶するためのメモリを有するルームモニターを必用としない。
【００６４】
大部分の実施例においては、正確な個々の医療機器３６、５０を判断する固有の機器識別子は記憶されたモデル登録ナンバーである。
【００６５】
グローバルネットワークシステム
【００６６】
図５及び６は、室内の様々な機器類を検出するグローバルネットワークシステムを示す。本願譲受人が保有する２００７年９月２６日出願の米国仮出願ＮＯ．６０／９９５３３０にフット管理装置のためのグローバルネットワークシステムのための他の配置が、開示されている。当該開示は、参照することによりその全体を本願に組み込まれる。
【００６７】
図５に示す医療施設６８の部分図には廊下６４及び複数の医療室１０が含まれる。医療室１０は手術室及び保管室を含む。個々の手術室１０は、上記実施例に関わって同じ参照番号で代表される手術台１６及びその他のシステム及び医療機器３６、５０を有する。
【００６８】
図６は、本発明の１実施例に係わるグローバルネットワークシステム７０のブロック図である。グローバルネットワークシステム７０は、グローバルネットワークプロセッサ７２、データ記憶装置７４、グローバルネットワークプロセッサ７２に接続された管理インターフェース７６及びディスプレイ７８を含む。管理インターフェース７６及びディスプレイ７８は離れた場所に置かれる。
【００６９】
上記実施例で説明したように、ルームモニター３２は、可搬式無線集中管理装置３０及び可搬式医療機器５０の各手術室１０への入退室を検出する。本実施例では、検出された情報はルームモニター３２に記憶される。検出された情報は、固有の機器識別子とともに各手術室１０内の医療機器３６、５０用の機器データが含まれてもよい。
【００７０】
グローバルネットワークプロセッサ７０は各ルームモニター３２からの出力を受け取る。実施例において、グローバルネットワークシステム７０は、特定の手術室１０内に可搬式医療機器５０及び可搬式無線管理装置３０が存在するか判断し、予定の手術の特定のタイプに必用な医療機器が確実に存在するようにする。手術室１０内の医療機器はディスプレイ７８上にリスト化される。
【００７１】
実施例によっては、ルームモニター３２は、その中に医療機器５０及び可搬式無線管理装置３０を有する医療建屋または施設６８内の各手術室１０を判断するだけでなく、各可搬式医療機器５０及び可搬式無線集中管理装置３０のための固有の識別子も感知する。固有の識別子は、その他の一切の関連データとともに、各特定の可搬式医療機器５０及び各可搬式管理装置３０の所在と使用歴を記録することができる。グローバルネットワークプロセッサ７２は全ての可搬式医療機器５０及び各無線集中管理装置３０の所在データをルームモニター３２から受け取る。グローバルネットワークプロセッサ７２はデータをコンパイルし、データ記憶装置７４内にデータを記憶する。
【００７２】
他の実施例において、データ記憶装置７４は、医療機器が消毒済みかどうか等の各特定の医療機器３６、５０の付随的データ及び他の情報を記憶する。このデータも、先ず各ルームモニター３２からグローバルネットワークプロセッサ７２が受け取る。管理インターフェース７６の側での入力に応じて、ディスプレイ７８は正しい可搬式医療機器５０と所在を示し使用医療機器を配列を支援をする。
【００７３】
他の実施例において、個別の所蔵室もルームモニター３２を有する。この配置により、グローバルネットワークシステム７０は、可搬式医療機器５０及び可搬式無線管理装置３０、及び、医療室、貯蔵室、病室及び施設全体の所在を提供することができる。
【００７４】
本発明は、特定の例示的実施例を参照して説明したが、本発明は説明した実施例に限定されるものではなく、付随する請求項の精神及び範囲内で改良、変更を加えて実施できものである。したがって、明細書及び図面は、限定的意味ではなく、例示的意味で理解されるべきである。
【産業上の利用可能性】
【００７５】
本発明は、医療室または他の医療区域にある機器類の集中管理を提供するものであり、医療機器に限らず、その他の機器の無線管理装置または管理ユニットを含むシステムに適用できる。
【符号の説明】
【００７６】
１０  手術室
１２  手術室内照明器具
１４  カメラ
１５  壁
１６  手術台
１７  移動式カート
１８  関節鏡ポンプシステム
２０  可搬式廃棄物管理システム
２２  移動式カート
２４  移動式タッチスクリーン無線タブレット
３０  無線集中管理装置
３２  ルームモニター
【図１】
0005470376.tif 000002
【図２】
0005470376.tif 000003
【図３】
0005470376.tif 000004
【図４】
0005470376.tif 000005
【図５】
0005470376.tif 000006
【図６】
0005470376.tif 000007